(57)【要約】  少なくとも１つのばね区分及び少なくとも１つの荷重導入構造（２）を備える、ばねとして具現化された繊維複合体構成部品が記載されている。繊維複合体構成部品（１）の繊維複合体材料は、荷重導入要素（３）を形成または囲む端区分において、荷重導入構造（２）の長手方向に対して直交する平面で、少なくとも２つの繊維複合体材料ストランド（４，４．１，４．２）に分割される。２つの隣接する繊維複合体材料ストランド（４，４．１，４．２）は、反対方向に走っており、特定の角部分にわたって重複し、それぞれが目玉部を形成し、これらの互いに向かい合う側端（７）は、重複部において摩擦係止様式で接続されている。【選択図】図３
2019527320.tif 000002
【特許請求の範囲】
【請求項１】
少なくとも１つのばね区分及び少なくとも１つの荷重導入構造（２、２．１）を備えるばねとして具現化された繊維複合体構成部品であって、前記繊維複合体構成部品（１）の繊維複合体材料が、荷重導入要素（３）を形成または囲む端区分において、前記荷重導入構造（２、２．１）の長手方向の広がりに対して横断する平面で、少なくとも２つの繊維複合体材料ストランド（４、４．１、４．２）に分割され、２つの隣接する繊維複合体材料ストランド（４、４．１、４．２）が、各場合において目玉部を形成するために反対方向において特定の角量にわたって延在する重複を形成しながら案内され、それらが重複して配置される区分において互いに向かい合うそれらの横方向面（７）と摩擦係止様式で互いに接続されていることを特徴とする、繊維複合体構成部品。
【請求項２】
奇数の繊維複合体材料ストランド（４、４．１、４．２）が、前記荷重導入構造（２、２．１）の構築に加わることを特徴とする、請求項１に記載の繊維複合体構成部品。
【請求項３】
個々の前記繊維複合体材料ストランドの断面積が等しいことを特徴とする、請求項１または２に記載の繊維複合体構成部品。
【請求項４】
前記繊維複合体材料ストランドの前記断面積の合計が、２つの巻き付け方向において等しいことを特徴とする、請求項１または２に記載の繊維複合体構成部品。
【請求項５】
前記繊維複合体材料ストランド（４、４．１、４．２）による前記目玉部の形成が、前記荷重導入構造（２、２．１）の長手方向の範囲の中央横断平面に関して対称的に提供されていることを特徴とする、請求項１〜４のいずれか１項に記載の繊維複合体構成部品。
【請求項６】
前記繊維複合体材料ストランドによる前記目玉部の形成が、前記荷重導入構造の前記長手方向の範囲の前記中央横断平面に関して非対称的に提供されていることを特徴とする、請求項１〜４のいずれか１項に記載の繊維複合体構成部品。
【請求項７】
前記繊維複合体材料ストランド（４、４．１、４．２）による前記目玉部の形成が、各場合において閉目玉部を形成する間に実行されることを特徴とする、請求項１〜６のいずれか１項に記載の繊維複合体構成部品。
【請求項８】
前記繊維複合体構成部品（１）の前記繊維複合体材料が、繊維ストランド（４、４．１、４．２）であることを特徴とする、請求項１〜７のいずれか１項に記載の繊維複合体構成部品。
【請求項９】
繊維体積含有率が、個々の繊維ストランド（４、４．１、４．２）において異なることを特徴とする、請求項８に記載の繊維複合体構成部品。
【請求項１０】
少なくとも１つの端区分における繊維体積構成部品が、その上に形成された前記ばね区分においてより少ないことを特徴とする、請求項１〜９のいずれか１項に記載の繊維複合体構成部品。
【請求項１１】
前記少なくとも１つの端区分における前記繊維体積含有率が、前記ばね区分においてよりも５％〜３０％少ないことを特徴とする、請求項１０に記載の繊維複合体構成部品。
【請求項１２】
前記繊維ストランドのカバー層が、連続的であることを特徴とする、請求項１０または１１に記載の繊維複合体構成部品。
【請求項１３】
荷重導入要素が、前記繊維複合体ストランド（４、４．１、４．２）によって巻き付けられていることを特徴とする、請求項１〜１２のいずれか１項に記載の繊維複合体構成部品。
【請求項１４】
前記荷重導入要素が、金属スリーブ（３）であることを特徴とする、請求項１３に記載の繊維複合体構成部品。
【請求項１５】
前記繊維複合体構成部品（１）が細長く、その端部の両方で荷重導入構造（２、２．１）を有することを特徴とする、請求項１〜１４のいずれか１項に記載の繊維複合体構成部品。
【請求項１６】
前記繊維複合体構成部品（１）が、車両の車輪サスペンションの部品であることを特徴とする、請求項１５に記載の繊維複合体構成部品。
【請求項１７】
前記繊維複合体構成部品が、板ばね（１）、特に放物形ばねであることを特徴とする、請求項１６に記載の繊維複合体構成部品。
【発明の詳細な説明】
【技術分野】
【０００１】
本発明は、少なくとも１つのばね区分及び少なくとも１つの荷重導入構造を備える、ばねとして具現化された繊維複合体構成部品に関する。
【背景技術】
【０００２】
繊維複合体構成部品は、鋼から典型的に製造される構造構成部品に取って代わるために多くのアプリケーションにおいて使用される。このような構造構成部品はまた、例えば、車両ばね等の、ばねまたはばね要素、例えば、サスペンションアームまたは板ばね等の、車両サスペンションの部品であり得る。このような繊維複合体構成部品は、その長手方向の広がりが、その横断方向における広がりよりも何倍も大きくなり、したがってこのような構成部品の幅及び高さに対して細長い。このような構成部品は、他の構成部品への取り付けのために少なくとも１つの荷重導入構造を有する。それは目玉部として典型的に具現化される。考察される種類の従来型鍛造構成部品において、このような目玉部は概して閉じられている。板ばねにおいて、目玉部が圧延手順によって作り出され、それらはまた時々開いている。その長手方向の広がりに対して横断する１つの側面または両方の側面において、その１つの端部で構成部品から突出する取り付けピンはまた、このような構成部品において荷重導入構造として使用され得る。
【０００３】
考察される種類の繊維複合体構成部品は、既知である。例えば、ＤＥ１０２００６／０４７４１２Ｂ１において、荷重導入要素を有するロッド形状の繊維複合体構造が、記載される。この繊維複合体構造は、油圧アクチュエータの構造構成部品である。この既知の繊維複合体構造は、周方向の繊維補強材を有する帯具によって囲まれる、２つのハーフシェルからなる。
【０００４】
ＤＥ１０２０１０／００９５２８Ａ１は、板ばねとして具現化された繊維複合体構成部品を開示する。軸受け目玉部が、この既知の繊維複合体構成部品において荷重導入構造として提供される。この荷重導入構造を構築するために、スリーブが荷重導入要素として使用され、これが繊維複合体材料の端区分の付近で周囲に巻き付けられる。繊維複合体材料から閉じた目玉部を形成するために、より狭い舌部を形成するようにその端部の領域に合わせた大きさに切断される。端部側舌部がスリーブの周囲の巻き付け後に挿入される開口部が、繊維複合体構成部品を形成するために使用されたプリプレグ片内の端部側舌部と整合されて切断される。開口部から突出する舌部の端区分が、断たれる。この様式において、プリプレグ片の端部側の端面は、荷重導入要素としてスリーブの周囲に巻き付けた後、この点において実際のばね区分の端部に戻される。
【０００５】
繊維複合体構成部品の製造のために使用された繊維複合体材料の層間剥離の危険性が、荷重の事象において、特にせん断及び／または引張荷重の事象において、考察される種類の繊維複合体構成部品における問題となる。このことは、繊維複合体構成部品の不良をもたらすことから望ましいことではない。
【０００６】
層間剥離の危険性は、荷重導入構造がＤＥ１０２０１０／００９５２８Ａ１から既知の繊維複合体構成部品を使用してループによって形成される、他の繊維複合体構成部品に関して改善されるが、このような繊維複合体構成部品の積載力は、概して、とりわけ動的荷重の事象において、非常に低い。このことは、相応な、より広い設計の板ばねによって、補うことができる。しかしながら、この目的のために必要な設置空間は、しばしば入手不可能である。加えて、より多くの材料が同様に使用されなくてはならず、この繊維複合体構成部品によってもたらされることであり、所望された軽量化に不都合な影響を有する。更に、コストの上昇が予想される。
【０００７】
この考察された先行技術から始まり、本発明は、したがって、許容可能な材料の使用を伴い高荷重を許容するだけでなく、繊維複合体構成部品に関して層間剥離の危険性が削減される繊維複合体構成部品を提供する目的に基づいており、その荷重導入構造は、繊維複合体材料のループによって提供される。
【発明の概要】
【０００８】
本目的は、はじめに挙げられたような問題における種類の繊維複合体構成部品により本発明に従って達成され、繊維複合体構成部品の繊維複合体材料は、荷重導入要素を形成または囲む端区分において、荷重導入構造の長手方向の広がりに対して横断する平面で、少なくとも２つの繊維複合体材料ストランドに分割され、２つの隣接する繊維複合体材料ストランドは、各々が目玉部を形成するために特定の角量にわたって延在する重複を形成しながら、各々反対方向に案内され、それらが重複して配置される区分において、互いに向かい合う横方向面と摩擦係止様式で互いに接続される。
【０００９】
本繊維複合体構成部品において、荷重導入構造は、少なくとも２つの繊維複合体材料ストランドによって形成される。荷重導入構造は、典型的に目玉部であり、開目玉部または閉目玉部として具現化することができる。本発明に従う繊維複合体構成部品における特別な特性は、隣接する繊維複合体材料ストランドを巻き付けるまたは屈曲する方向が、荷重導入構造を形成するために反対方向にあるということである。このことは、第１の繊維複合体材料ストランドが目玉部を形成するために時計周りに案内され、一方で１つまたは２つの隣接する繊維複合体材料ストランドが、反対方向に巻き付けるまたは屈曲する方向、したがって反時計回りに案内される場合を意味する。繊維複合体材料ストランドが荷重導入構造の目玉部を形成するために案内される際に巻き付ける量は、少なくとも隣接する繊維複合体材料ストランドが特定の角量にわたって重複するように十分に大きい。重複する領域において、これらの互いに向かって面する繊維複合体材料ストランドの側面は、重複する配置の領域において互いに接触する。これらの横方向面は、繊維複合体構成部品の硬化樹脂によって典型的に一体的に接合され、摩擦係止様式において互いに更に接続される。この設計を伴い、繊維複合体材料が、その目玉部の長手方向の広がりに対して横断する平面において、少なくとも１つの荷重導入構造の領域内で分割されることは有利である。荷重導入要素に巻き付ける量は、したがって繊維複合体材料ストランドの長さにのみ左右される。繊維複合体構成部品の残りの設計は、したがってこのコンセプトによって荷重導入構造の形成に影響を受けることはない。荷重導入構造は、したがって繊維複合体構成部品の残りの要素とは無関係に設計され得る。これはまた荷重導入構造に関して、繊維複合体構成部品の残りの部分の設計に適用され、逆もまた同様である。
【００１０】
隣接する繊維複合体材料ストランドの反対方向に巻き付けることに関する重複は、特に大きな面積にわたって、２つの隣接する繊維複合体材料ストランドの平面接点の形成を可能にする。隣接する繊維複合体材料ストランドを互いに接着させることは、大きな力が荷重導入構造に導入され、更に層間剥離が効果的に防止されることを確実とする。隣接する繊維複合体材料ストランドの広範囲の接着は、荷重導入要素が提供される場合、この要素が荷重導入構造の繊維複合体構造内に確実に収容されることに寄与する。複合体繊維材料ストランドによって囲まれる、このような荷重導入要素は、例えば金属スリーブであり得る。
【００１１】
目玉部は、各繊維複合体材料ストランドによって２７０°超で好ましくは形成される。これらの繊維複合体材料ストランドの横方向接触面は、次いで少なくとも９０°を超えて延在する。荷重導入構造の目玉部を合同で形成する繊維複合体材料ストランドによって形成された目玉部は、しかしながら、閉じられまたはほぼ閉じられて好ましくは具現化される。繊維複合体材料ストランドの正面接合部は、次いで、繊維複合体材料の残りの部分の表面まで、またはほとんどそこまで案内される。閉目玉部は、繊維複合体構成部品の最終形成のために使用された樹脂によって各繊維複合体材料ストランドによって次いで形成され、これによってこのような繊維複合体材料ストランドの戻り端部面の間の残りの隙間がまた、充填される。
【００１２】
荷重導入構造が、アプリケーションまたはそのような繊維複合体構成部品の使用における要求に対して荷重導入特性に関して適用され得ることは、荷重導入構造を形成するために、端部で荷重導入要素の長手方向の広がりに対して横断する平面において分割された繊維複合体材料ストランドを有するこのような繊維複合体構成部品の更なる特に有利な点である。予期された荷重に応じて、第１の巻き付け方向において目玉部を形成する繊維複合体材料ストランドの合計断面積が、対応する目玉部または目玉部が他の巻き付け方向において形成された、繊維複合体材料ストランドの合計断面積とは異なるということが確実に提供され得る。荷重導入構造は、このコンセプトを使用する荷重導入構造の中央横断平面に関して、対称的または非対称的に設計され得る。非対称設計は、例えば、これらの荷重が特定の機能方向から係合するとき、ねじり荷重が、荷重導入構造を介して吸収されなければならない、といったアプリケーションのために提案する。
【００１３】
荷重導入構造の目玉部が形成され及び／または囲まれることによる繊維複合体材料ストランドの数は、少なくとも２つである。しかしながら、奇数の繊維複合体材料ストランドが、両方向において中央横断平面から対称的に進む反対側の巻き付け方向の代替品を設計することが可能となるため、好ましくは選択される。このことは、代替品に関するが、各繊維複合体材料ストランドの幅には必ずしも関することはない。隣接する繊維複合体材料ストランドが各々、荷重導入構造の目玉部を形成するために反対方向において周囲を巻き付けることにおいて、複合体材料ストランドの数が大きくなればなるほど、このように提供された荷重導入構造の積載力がより高くなる。多くのアプリケーションに対して、繊維複合体材料ストランドの数が３または５であれば、十分であろう。
【００１４】
一方向に配向した繊維、同様に織り繊維材料、繊維不織材料、または同様のもの等の繊維ストランドが、繊維複合体材料として使用することができる。その端部領域において必要とされた繊維複合体材料ストランドに容易に分割され得る繊維ストランドが使用されない場合、荷重導入構造が形成される端区分が、１つ以上の切り込みによって反対方向に巻き付けるために必要な繊維複合体材料ストランドに分割される。
【００１５】
このような繊維複合体構成部品は、多くの点においてこのような荷重導入構造を有することができる。例えば、繊維複合体構成部品が板ばねの場合、その２つの端部においてこのような荷重導入構造が装備されるであろう。このような繊維複合体構成部品はまた、確実に、少なくとも１つのこのような荷重導入構造を有するフレーム、補助フレーム、サスペンションアーム、または同様のものであり得る。
【００１６】
一例示的な実施形態において、例えば、金属スリーブ等の一般的な荷重導入要素は、このような荷重導入構造の繊維複合体材料ストランドの目玉部によって囲まれる。このような金属スリーブの断面積は、円形の断面積を有し得る。このような荷重導入要素を上記で記載した様式で囲むため、このような荷重導入要素の断面積はまた、円形からは逸脱し得、例えば、長方形として具現化することもできる。
【００１７】
例えば、板ばね等の繊維複合体構成部品として製造されたこのようなばねのばね特性曲線は、とりわけ繊維複合体構成部品の繊維体積含有率を介して設定することができる。繊維体積含有率は、構成部品の特定の形状で使用される繊維、典型的にガラス繊維、の体積率を規定する。ばねとして設計されたこのような繊維複合体構成部品の断面積に関する繊維体積含有率は、断面積に関する繊維の比率をこのように規定する。このような、例えば、放物形ばねとして設計された繊維複合体構成部品は、そのばね区分、この場合、ばねアームの広がりにわたって一定の繊維体積含有率を有することができる。荷重導入要素に向かう方向における断面積の削減のため、実際に使用された繊維量は、一定の繊維体積含有率を伴うこの方向において減少する。例えば、たわみ等のばねストレスの事象における切り欠き効果を削減するために、繊維ストランドのカバー層が、連続して具現化される。繊維体積含有率は、ばね区分、すなわち、例えば、ばねアーム内に関して荷重導入要素を形成または囲む端区分において削減することができる。周囲の状況が、この場合利用され、これらの端区分は繊維縦方向においてより低いひずみに耐えなくてはならず、主に層間荷重を有する。むしろ、これらの端区分はまた、いずれの顕著ではない場合においても、弾性的に反応しないことが提供され、これは上昇した樹脂比率によって確実とされる。繊維ストランドの使用をより低くすることは、繊維複合体構成部品上に重量削減効果を有する。繊維ストランドのカバー層はまた、この様式で形成された端区分への推移において典型的に連続的である。射出合成物がこのような端区分の型成型にすでにより低い圧力で浸出過程中により良く分配され得ることが、このような設計の場合にまた有利である。その理由は、少なくとも１つの端区分において、射出された合成物の流動作用を損なう、繊維ストランドの数がより小さくなることである。実験が、少なくとも１つの端区分において、繊維体積含有率が、同様の品質の繊維複合体構成部品を伴い、最大５０％まで削減することができることを示した。このような少なくとも１つの端区分における繊維体積含有率の削減量は、繊維複合体構成部品のために意図されたアプリケーションに応じて設計されるであろう。
【００１８】
ばねとして設計された繊維複合体構成部品の長手方向の広がりにわたる繊維体積含有率における変化は、このような繊維複合体構成部品の設計のための更なる影響オプションを表現する。ばねとして具現化された繊維複合体構成部品の構想における設計自由度は、特に製造方法に影響を与えることなく、鋼から慣例的に製造されるものに関してこのように強化される。
【００１９】
ばねとして具現化されたこのような繊維複合体構成部品の設計における更なる自由度は、繊維体積含有率が繊維複合体材料ストランドにおいて少なくとも部分的に異なり得ることである。このように、例えば、ばねに関して横断方向において互いに隣接して配置された繊維複合体材料ストランドは、同様の繊維体積含有率を有することができ、一方で上下に位置づけられた複合体材料繊維ストランドは、異なる繊維体積含有率を有する。また、繊維複合体構成部品の横断方向において異なる繊維体積含有率を有する繊維複合体材料ストランドを配置することも可能である。
【図面の簡単な説明】
【００２０】
本発明は、添付の図面を参照して例示的な実施形態に基づいてこれより記載される。
【００２１】
【図１】車両用繊維複合体構成部品として生産された板ばねの斜視図を示す。
【図２】図１の板ばねの荷重導入構造左側の拡大斜視部分図を示す。
【図３】荷重導入要素の周囲に巻き付き、部分的に屈曲していない繊維複合体材料ストランドを有し、図２の荷重導入構造を別の視点で示す。
【図４】荷重導入要素を囲む繊維複合体材料ストランドを有する、図３の荷重導入構造を同様の視点で示す。
【発明を実施するための形態】
【００２２】
図１は、細長い繊維複合体構成部品として生産された板ばね１を示す。リースばね１は、繊維複合体材料から図１で示される形態にされる。繊維ストランドが、図１の例示的な実施形態において、繊維複合体材料として使用されている。繊維複合体板ばね１は、既知の樹脂射出成形方法（樹脂トランスファー成形）のコースにおいて製造されている。この方法において、織物半仕上げ製品として使用された繊維ストランドが、金型に据えられる。それに続くステップにおいて、樹脂が金型の空洞内に射出され、繊維ストランドが所望の形状に配置される。図１に示された板ばねはまた、プリプレグを使用して製造され得る。
【００２３】
板ばね１は、その２つの端部において荷重導入構造２、２．１をそれぞれ支持する。荷重導入構造２は、これより詳細に記載される。荷重導入構造２．１は、例解された例示的な実施形態において完全に同じように構築される。したがってこの観点における記述は、荷重導入構造２．１に同様に適用する。
【００２４】
荷重導入構造は、金属スリーブ３を備え、その付近に荷重導入要素として、目玉部が提供される。金属スリーブ３は、放射状の横方向面に沿って繊維複合体材料によって囲まれる。目玉部を形成するスリーブ３を囲む様式は、荷重導入構造２における特別な特性である。図２は、実際の板ばねの端部の区分における板ばね１の荷重導入構造２を示す。スリーブ３は、例解された例示的な実施形態において、３つの繊維複合体材料ストランド４、４．１、４．２によって周囲を巻き付けられる。繊維複合体材料ストランド４、４．１、４．２は、異なる巻き付け方向でスリーブ３の周囲に案内される。繊維複合体材料ストランド４は、図２の図においてスリーブ３の横方向面の周囲を時計回りに巻き付ける。繊維複合体材料ストランド４．２はまた、同様の巻き付け方向において案内される。対称的に、２つの繊維複合体材料ストランド４と４．２との間に位置する繊維複合体材料ストランド４．１は、反時計回り、したがってスリーブ３の周囲を繊維複合体材料ストランド４、４．２に対して反対方向において案内される。３つ全ての繊維複合体材料ストランド４、４．１、４．２は、スリーブ３の横方向面の周囲をおよそ３６０°案内される。繊維複合体材料ストランド４の端部面５上に示されるような、それぞれの端部側の端部面の間の残りのガセット及びストランド４、４．１、４．２のはじめの端部の上側は、硬化のために使用される樹脂を使用して充填される。この樹脂で充填されたガセットは、参照印６によって図２において示される。閉目玉部は、このように各繊維複合体材料ストランド４、４．１、４．２によって示される例示的な実施形態においてスリーブ３の放射状横方向面の周囲に据えられる。
【００２５】
繊維複合体材料ストランド４、４．１、４．２は、上記で記載されたスリーブ３の隣接する繊維複合体材料ストランド４、４．１、４．２それぞれを反対方向で巻き付けることを可能にするために、スリーブ３の長手方向の広がりの横断平面、したがって板ばね１の長手方向の広がりにおいて分割される。
【００２６】
繊維複合体材料ストランド４、４．１、４．２によってスリーブ３を反対方向において巻き付けることに起因して、荷重導入構造２は、特に高荷重を受け得る。スリーブ３上及び荷重導入構造２上に作用する張力またはせん断力は、その方向とは無関係に繊維複合体材料ストランド４、４．２、または４．１の少なくとも板ばね付近の区分に常に比例的に導入される。
【００２７】
特に高い張力が発生した場合に繊維複合体材料ストランド４、４．１、４．２の巻き付けを開くことが、それらが互いに向かって面する側面上で使用される樹脂によって、広範囲にわたり互いに一体的に接着されていることにおいて、したがって板ばね１を製造するためのスリーブ３の長手方向範囲の方向において、効果的に防止される。このため、隣接する繊維複合体材料ストランド４、４．１、４．２はそれぞれ、それらがある区分において重複するようにスリーブ３の周囲に案内される。示される例示的な実施形態において、重複は、ほぼ３６０°未満である。
【００２８】
上記で記載された巻き付けを例解するために、図３は、スリーブ３から部分的に巻き付けられていない繊維複合体材料ストランド４を備える荷重導入構造２を示す。隣接する繊維複合体材料ストランドの接着、ここでは繊維複合体材料ストランド４及び繊維複合体材料ストランド４．１は、接している横方向面７を介しており、一体的に接着され、したがって樹脂を介して摩擦係止様式において互いに接続される。例解された例示的な実施形態において、繊維複合体材料ストランド４、４．１、４．２によるスリーブ３の巻き付けは、ほぼ３６０°にわたっており、２つの隣接する繊維複合体材料ストランドの接触面は、特に大きい。繊維複合体材料ストランド４、４．１、４．２によってスリーブ３を反対方向に巻き付ける結果として、それらがまた引張応力の事象においてのみ、反対方向においてスリーブ３の横方向面から取り外せ得るということが重要である。しかしながら、これは、隣接する繊維複合体材料ストランド４、４．１、と４．１、４．２との間の一体接着によって効果的に抑制される。接着は、このようなせん断力に持ちこたえるために、繊維複合体構成部品の硬化に使用された樹脂に対して迅速かつ十分に強い。
【００２９】
図４は、繊維複合体材料ストランド４と横方向面７上で一体的に接着される状態の、図３の例解図の視点から荷重導入構造２を示す。
【００３０】
例解された例示的な実施形態において、金属スリーブ３の巻き付けは、中央横断平面に関して対称的に構築される。また対応する要求によって必要とされる場合、非対称的に設計することもできる。例解された例示的な実施形態において、繊維複合体材料ストランド４．１の断面積は、具体的にはおよそ５：３の割合で、繊維複合体材料ストランド４、４．２の断面積よりも大きい。
【００３１】
上記で記載されたコンセプトを使用して、任意の荷重導入構造２、２．１が、したがってその上に作用するそれぞれの要求に対して最適に設計され得る。特に、荷重導入構造２、２．１は、例解された例示的な実施形態の場合と同様に、同一である必要はない。金属スリーブ３の巻き付けの設計に関して、進行方向における前部の荷重導入構造を、進行方向における後部の荷重導入構造とは異なるように設計することが全く可能である。
【００３２】
記載された例示的な実施形態において、繊維体積含有率は、板ばね１の長さにわたって一定である。
【００３３】
繊維複合体構成部品として生産された従来式の板ばねと比較した板ばね１の耐久性に関するシミュレーションは、著しく良い特性を示す。ＤＥ１０２０１０／００９５２８Ａ１において記載された板ばねは、比較用の板ばねとして使用される。シミュレーションを受けた両方の板ばねの寸法は、同一である。シミュレーション中、ミニバン内で使用される間のこれらの板ばねのひずみを、シミュレートした。ケーススタディされた荷重は、本発明に従う板ばねの著しく改善された特性を示す。以下の表において、シミュレーション中の結果として生じる横断方向引張応力のパーセンテージ割合が、解明された比較用ばねの横断方向引張応力の割合として示され、その値は、本発明に従うそれぞれの板ばねの各々に対して、１００％にスケーリングされる。
2019527320.tif 000003
【００３４】
結果は、特別な様式の荷重導入構造の設計のため、それぞれの荷重実例に導入された横断方向引張応力は、比較用板ばねの実例よりも顕著に低いということを示す。
【００３５】
本発明は、放物形ばねに基づく実施例として記載されている。本発明のコンセプトはまた、他の部品、特に、例えばスタビライザまたはサスペンションアーム等の、サスペンション部品にも使用され得るということは明らかである。このような繊維複合体構成部品はまた、別の背景において使用される停止手段、フック、または目玉部を形成するために使用され得る。
【００３６】
参照番号のリスト
2019527320.tif 000004
【図１】
2019527320.tif 000005
【図２】
2019527320.tif 000006
【図３】
2019527320.tif 000007
【図４】
2019527320.tif 000008
【国際調査報告】
2019527320.tif 000009
2019527320.tif 000010
2019527320.tif 000011
2019527320.tif 000012